(57)【要約】      （修正有）【課題】モジュール全体の中空糸膜を用いて、均一な加湿を行うことができる燃料電池膜モジュールの製造方法を提供する。【解決手段】本発明による燃料電池膜モジュールの製造方法は、高分子燃料電池の膜加湿器に用いられる膜モジュールを製造する時、ポッティングキャップ１４の設計変更により、モジュールの中央部に中空糸膜１５を少なく位置させ、外郭に行くほど中空糸膜１５を多く位置させる新たな形態の中空糸膜モジュールの製造方式を実現することにより、空気ブロワーから流入される乾燥空気をより多くの中空糸膜が配置されている外郭側に分散させ、中空糸膜全体により均一に加湿性能を維持。【選択図】図６
2013122902.tif 000002
【特許請求の範囲】
【請求項１】
燃料電池膜モジュールの製造方法であって、
ケースを製作する段階と、前記ケースの一側にポッティングキャップを被せる段階と、
前記ケースの内部に複数束の中空糸膜を挿入する段階と、前記中空糸膜が入っている前記ケースの他側に更に１個のポッティングキャップを被せる段階と、複数束の前記中空糸膜を固定させるために前記ケース内の両末端部に高分子物質を注入し、前記高分子物質を乾燥させる段階と、前記高分子物質を乾燥させた後、カッティングデバイスを用いてポッティングされた部分を切り出す段階と、を有し、
前記ポッティングキャップは、内面に突出形成され、異った直径を有し互いに間隔を保持する複数個の区画壁が同心円状に配置された形状を有するものを用い、モジュール内の、前記ポッティングキャップの同心円の中心側に配置される前記中空糸膜の数に比べて、前記ポッティングキャップの外周側に行くほど多くの数の前記中空糸膜が配置されることを特徴とする燃料電池膜モジュールの製造方法。
【請求項２】
前記ポッティングキャップに形成される前記区画壁は、最外周に配置される区画壁とポッティングキャップの周縁部との間隔が、その内側に配置される区画壁間の間隔よりも広く形成されることを特徴とする請求項１に記載の燃料電池膜モジュールの製造方法。
【請求項３】
前記ポッティングキャップに形成される前記区画壁は、外周側に配置される区画壁から中心側に配置される区画壁に行くほど間隔が狭くなることを特徴とする請求項１に記載の燃料電池膜モジュールの製造方法。
【請求項４】
前記ポッティングキャップに形成される前記区画壁の間隔は、前記区画壁の幅を変更して間隔を変更することを特徴とする請求項１ないし３の何れか１項に記載の燃料電池膜モジュールの製造方法。
【発明の詳細な説明】
【技術分野】
【０００１】
本発明は燃料電池膜モジュールの製造方法に係り、より詳しくは、高分子燃料電池で空気を加湿する膜加湿器に用いられる膜モジュールを製造する燃料電池膜モジュールの製造方法に関する。
【背景技術】
【０００２】
通常、高分子燃料電池を作動させるためには水が必要であり、このために、供給される空気を加湿する加湿器が使用される。
このような加湿器には、バブラー（Ｂｕｂｂｌｅｒ）式、インジェクション（Ｉｎｊｅｃｔｉｏｎ）式、及び吸着剤式など様々なタイプがあるが、燃料電池自動車の場合、パッケージに制限があるため、体積の小さい膜加湿器が使用されている。膜加湿器には、パッケージの側面だけでなく、動力の使用量が少ないという大きな利点がある。
【０００３】
図１は、一般的な燃料電池膜加湿器を示す斜視図である。図１に示すように、燃料電池膜加湿器の主要構成部品は、膜モジュール１０、ハウジング１１、及びマニフォールド１２などがある。
膜モジュール１０は膜が密集している部分であって、複数束の中空糸膜が膜モジュールの中に密集した形状を有する。
【０００４】
このような膜モジュール１０の製造は次のような工程で行われる。
図２は、従来の燃料電池膜モジュールの製造方法を示す概略図であり、（ａ）〜（ｄ）は工程の順序を示す。図２に示すように、先ずケース１３を製作し（ａ）、ケース１３の一側にポッティングキャップ１４を被せた後（ｂ）、ケース１３の中に複数束の中空糸膜１５を挿入する（ｃ）。
その後、中空糸膜１５をケース１３に固定させるために、両末端部に高分子物質１６を注入して固定させる（ｄ）。
【０００５】
この工程をポッティング（Ｐｏｔｔｉｎｇ）工程という。ポッティング工程に用いられる高分子物質としては、主にウレタン系の物質が挙げられる。
ポッティング法は次の通りである。ポッティング法は重力を用いた方法であって、レジン注入口を通して高分子物質を注入し、重力により、高分子物質が、密集している膜の間に浸透して膜束を固定させる。
【０００６】
ポッティングした後、高分子物質を乾燥させ、最後にカッティングデバイスを用いてポッティングされた部分を切り出すことにより、所望する膜モジュール１０が得られる。最終的に膜モジュール１０の両側にハウジング１１を取り付けると、所望する燃料電池用膜加湿器が得られる。
【０００７】
図３は、従来の燃料電池膜モジュールを製造する時、中空糸膜が均一に分散されず、片側に偏る現象を示す断面図である。
図３に示すように、従来の加湿器は、１つの大きいモジュールであって、その中に複数束の中空糸膜が収納される。しかしながら、１つの大きいモジュールに複数束の中空糸膜が収納されることにより、モジュールを製造する時、例えば中空糸膜が均一に分布されず片側に偏るなど、中空糸膜が不均一に分布されて製作される場合が多かった。
【０００８】
図４は、従来の燃料電池膜加湿器の内部構造を示す断面図である。図４に示すように、膜加湿器は、ハウジング１１を備えており、ハウジング１１には乾燥空気を導入する第１流入口１７及び乾燥空気を排出する第１流出口１８が形成され、ハウジング１１の内部に膜モジュール１０が配置される。そして、膜モジュール１０の内部に複数束の中空糸膜１５が収納されている。
【０００９】
このように構成された中空糸膜を用いた膜加湿器において、湿潤空気が第２流入口１９から各中空糸膜１５の外側に供給される。湿潤空気中の水分は中空糸膜１５の毛細管作用により分離され、分離された水分は中空糸膜１５の毛細管壁を透過して中空糸膜１５の内側に移動する。水分が分離された湿潤空気はそのまま中空糸膜１５の外部を移動して第２流出口２０から流出される。
【００１０】
一方、乾燥空気が第１流入口１７から供給され、中空糸膜１５の内部を移動する。この時、湿潤空気から分離された水分が中空糸膜１５の内側に移動し、この水分により乾燥空気が加湿され、加湿された乾燥空気は第１流出口１８から流出されて燃料電池スタックに供給される。
【００１１】
このように、従来の膜加湿器は、湿潤空気が第２流入口１９からハウジングの中に入って中空糸膜１５に水分を供給し、第２流出口２０から流出される。
しかし従来の膜加湿器は、膜モジュール１０が中空糸膜１５が密集している形状のため、第２流入口１９から流入した湿潤空気が膜モジュール１０の内部に浸入し難いという問題がある。また、湿潤空気が拡散する速度が遅いため、内部への浸入がさらに困難である。そのため、膜モジュール１０の外側部に流入された湿潤空気は、ハウジング１１内から膜モジュール１０の内部に浸入することができず、周辺部を流れて第２流出口２０から流出される。
【００１２】
湿潤空気は中心部に拡散する速度が遅いため、膜モジュール１０の内部は十分な水分の供給を受け難くなり、加湿効率に大きな影響を及ぼし、膜加湿器の全体的な効率が低下する。
また、従来の膜加湿器は、第１流入口１７から流入される乾燥空気が膜モジュール１０の中央部に多く流れるため、全体的な膜加湿器の効率が更に低下する。
【００１３】
図５は、従来の燃料電池膜加湿器で乾燥空気の流れに対するシミュレーション試験結果を示すイメージである。図５に示すように、乾燥空気の大部分が膜モジュールの中央部にのみ流れる。
すなわち、第１流入口１７から流入された乾燥空気は、主に膜モジュール１０の中央部（淡色で表示された部分）を流れ、第２流入口１９から流入された湿潤空気は、主に膜モジュール１０の周辺部を流れるため、膜加湿器の効率に問題が発生する。
【００１４】
膜加湿器において、価格的に最も大きい比重を占めるのは高分子物質からなる中空糸膜である。しかし、従来の膜加湿器は、加湿効率が良くないために、必要以上に多くの中空糸膜を使用している。
したがって、膜加湿器の製造原価が高くなり、また、膜加湿器の大きさも性能に比して大きすぎるという問題があり、燃料電池車両のパッケージにおいても大きな困難がある。
【先行技術文献】
【特許文献】
【００１５】
【特許文献１】特開２００９−２２４２１１号公報
【発明の概要】
【発明が解決しようとする課題】
【００１６】
本発明は、このような問題を解決するためになされたものであって、モジュール全体の中空糸膜を用いて、均一な加湿を行うことができる燃料電池膜モジュールの製造方法を提供することにその目的がある。
【課題を解決するための手段】
【００１７】
かかる目的を達成するために本発明で提供する燃料電池膜モジュールの製造方法は、ケースを製作する段階と、ケースの一側にポッティングキャップを被せる段階と、ケースの内部に複数束の中空糸膜を挿入する段階と、中空糸膜が入っているケースの他側に更に１個のポッティングキャップを被せる段階と、複数束の中空糸膜を固定させるためにケース内の両末端部に高分子物質を注入し、高分子物質を乾燥させる段階と、高分子物質を乾燥させた後、カッティングデバイスを用いてポッティングされた部分を切り出す段階と、を有し、
ポッティングキャップは、内面に突出形成され、異った直径を有し互いに間隔を保持する複数個の区画壁が同心円状に配置された形状を有し、モジュール内の同心円の中心部に配置される中空糸膜に比べて、外周側に行くほど多くの中空糸膜が配置されることを特徴とする。
【００１８】
また本発明は、ポッティングキャップに形成される区画壁の、最外周に配置される区画壁とポッティングキャップの周縁部との間隔が、その内側に配置される区画壁間の間隔よりも広く形成されることを特徴とする。
【００１９】
また本発明は、ポッティングキャップに形成される区画壁は、外周側に配置される区画壁から中心側に配置される区画壁に行くほど間隔が狭くなことを特徴とする。
また本発明は、ポッティングキャップに形成される区画壁の間隔が、区画壁の幅を変更して間隔を変更することを特徴とする。
【発明の効果】
【００２０】
本発明による燃料電池膜モジュールの製造方法は次のような長所がある。
第１に、モジュールの中央部には中空糸膜を少なく配置し、モジュールの周辺部には中空糸膜を多く配置した形態を適用することにより、乾燥空気が中空糸膜束の中央部にのみ流れる問題を解決し、これによって全中空糸膜により均一な加湿性能が維持される。
【００２１】
第２に、１つのモジュール内に中空糸膜束が分けられて収納されることにより、片側に偏るなどの不均一な分布の問題を解決し、周辺部の中空糸膜の断線問題を解決することができる。
第３に、膜加湿器の性能を向上させて中空糸膜数の使用量を減らすため、従来の膜加湿器に比して低コスト化し、膜加湿器のサイズも減らすなど、パッケージの側面にも有効である。
第４に、膜加湿器にかかる圧力降下量を低減し、これによって空気ブロワーの負荷を下げることができる。
【図面の簡単な説明】
【００２２】
【図１】一般的な燃料電池膜加湿器を示す斜視図である。
【図２】従来の燃料電池膜モジュールの製造方法を示す概略図であり、（ａ）〜（ｄ）は工程の順序を示す。
【図３】従来の燃料電池膜モジュールを製造する時、中空糸膜が均一に分散されず、片側に偏る現象を示す断面図である。
【図４】従来の燃料電池膜加湿器の内部構造を示す断面図である。
【図５】従来の燃料電池膜加湿器で乾燥空気の流れに対するシミュレーション試験結果を示すイメージである。
【図６】本発明の燃料電池膜モジュールの製造方法を示す概略図である。
【図７】本発明の燃料電池膜モジュールの製造方法に用いられるポッティングキャップの一例を示す概略図である。
【図８】本発明の燃料電池膜モジュールの製造方法に用いられるポッティングキャップの他の例を示す概略図である。
【図９】本発明の燃料電池膜モジュールの製造方法に用いられるポッティングキャップの多様な形状を示す概略図である。
【図１０】本発明の燃料電池膜モジュールの製造方法により製造された膜モジュールにおける中空糸膜の分布形態を示す断面図である。
【図１１】本発明の燃料電池膜モジュールの製造方法により製造された膜モジュールの湿潤空気及び乾燥空気の分配性を示す図である。
【発明を実施するための形態】
【００２３】
本発明は、ポッティングキャップの設計変更により、モジュールの中心部の中空糸膜の分布を少なくし、外周部に行くほど中空糸膜を多く分布させる燃料電池膜モジュールの製造方法を提供する。ポッティングキャップを変更することにより、燃料電池膜モジュールの中空糸膜の分布を全体的に調節することができる。
【００２４】
本発明の燃料電池膜モジュールの場合、空気ブロワーから流入された乾燥空気は、より多くの中空糸膜が挿入された外周部により多く流通される。したがって、乾燥空気が中空糸膜束の中心部にのみ流れた従来の燃料電池膜モジュールの問題を解決でき、これによって全中空糸膜により均一な加湿性能が維持される。
【００２５】
以下に、添付した図面を参照して本発明を詳細に説明する。
図６は、本発明の燃料電池膜モジュールの製造方法を示す概略図であり、（ａ）〜（ｄ）は工程の順序を示す。
図６に示すように、本発明の燃料電池膜モジュールの製造工程は、先ず、円筒形のケース１３を製作し（ａ）、ケース１３の一側に所定の区画壁２１を有する円形のポッティングキャップ１４を被せる（ｂ）。
【００２６】
次に、ケース１３の内部に所望する束数の中空糸膜１５を挿入する（ｃ）。
中空糸膜１５を挿入した後、ケース１３の他側にも所定の区画壁２１を有する円形のポッティングキャップ１４を被せる。次に、ケース１３の内部に入っている複数束の中空糸膜１５を固定させるためにケース内の両末端部に高分子物質１６を注入し（ｄ）、これを乾燥させる。
【００２７】
この時、高分子物質１６の注入は、ポッティングキャップ１４やケース１３の一側に設けられた注入口（図示せず）から注入してもよく、既存の注入方法と同じ方法を用いることができる。
高分子物質１６が完全に固化した後、カッティングデバイスを用いてポッティングされた部分、高分子物質１６が満たされている部分を切り出すことで、基本的な製造過程を終了する。
【００２８】
本発明は、ケース１３の内外周部に配置される中空糸膜１５の分布を制御するために、内面に所定の形状からなる区画壁２１を有するポッティングキャップ１４を使用する。
図７は、本発明の燃料電池膜モジュールの製造方法に用いられるポッティングキャップの一例を示す概略図である。図７に示すように、ポッティングキャップ１４に形成された区画壁２１は、異なる直径を有する複数個の同心円形状の区画壁２１で形成され、それぞれの異なる直径を有する区画壁２１がポッティングキャップ１４の内側面から一定の高さに突出形成されると共に、区画壁２１間に所定の間隔を維持しながら配置される形状を有する。
【００２９】
これによって、ケース１３の内部に挿入された中空糸膜１５は、区画壁２１間の間隔内に配置され、区画壁２１の間隔に対応してモジュール内に配置される中空糸膜１５の数が異なるように配備され、例えば膜モジュール１０の中心部に少なく、膜モジュール１０の外周部分に多く配置される。また、区画壁２１が位置している空間により、膜モジュール１０内で、膜モジュール１０の軸線方向に沿って並んでいる中空糸膜１５相互の間に空隙が生じる。これによって膜加湿器にかかる圧力降下量を低減し、これによって空気ブロワーの負荷を下げることができる。
【００３０】
ポッティングキャップ１４に形成される区画壁２１間の間隔は、最外周側に配置される区画壁２１ａから中心側に配置される区画壁２１ｂ，２１ｃに行くほど互いの間隔が順次に小さくなる（Ｌ１＞Ｌ２＞Ｌ３）。
【００３１】
例えば、ポッティングキャップ１４に形成される区画壁２１間の間隔を異なるように形成する場合、最外周に配置される区画壁２１ａとポッティングキャップの周縁部との間の間隔（Ｌ１）を、中心側に配置される区画壁２１ｂ，２１ｃ間の間隔（Ｌ２、Ｌ３）よりも広く形成することにより、膜モジュール１０の中心部には中空糸膜１５を少なく配置させ、外周側に行くほど中空糸膜１５を多く配置させることができる。
【００３２】
これによって、乾燥空気は中空糸膜１５が多く配置されている外周側に多く流通され、膜モジュール１０の中心部に比べて水分が多く凝縮される外周側の中空糸膜側で乾燥空気の加湿が行われ、これによって中空糸膜全体に、より均一な加湿性能を確保することができる。
【００３３】
一方、ポッティングキャップ１４の区画壁２１間の間隔を設定する方法の一例として、本発明では各区画壁２１の幅、すなわち厚さに差を設ける方法を提供する。すなわち、ポッティングキャップ１４に形成される区画壁２１の幅を変更して区画壁２１間の間隔を異なるようにする方法を提供する。
【００３４】
図８は、本発明の燃料電池膜モジュールの製造方法に用いられるポッティングキャップの他の例を示す概略図である。
例えば、図８に示すように、中心側に配置される区画壁２１ｂ，２１ｃの幅に比べて最外周に配置される区画壁２１ａの幅を小さくすることによって、最外周の区画壁２１ａとポッティングキャップ１４の周縁部との間の間隔を、内側（中心側）に配置される区画壁２１ｂ，２１ｃ間の間隔（Ｌ２、Ｌ３）よりも広く形成でき、これによって外周側に行くほど中空糸膜１５を多く配置させ、膜モジュール１０の中心部には中空糸膜１５を少なく配置させることができる。
【００３５】
図９は、本発明の燃料電池膜モジュールの製造方法に用いられるポッティングキャップの多様な形状を示す概略図である。
図９に示すように、このようなポッティングキャップ１４の場合、多様な形状の区画壁２１を有することができるが、例えば多数の円形区画壁と放射状に延びる直線形区画壁の組合せによる多様な形状の区画壁を例示することができる。
従来の膜加湿器は１つの大きいモジュールであって、その中に複数束の中空糸膜１５が収納されるが、１つの大きいモジュールに複数束の中空糸膜１５が収納されることにより、モジュールの製造時、中空糸膜が均一に分布されずに片側に偏るなど、中空糸膜が不均一に分布して製作される場合が多かった。
【００３６】
図１０は、本発明の燃料電池膜モジュールの製造方法により製造された膜モジュールにおける中空糸膜の分布形態を示す断面図である。図１０に示すように、本発明の方法を適用することによって、中空糸膜１５が分けられて収納され、従来の問題であった片側に偏るなどの不均一な分布問題を解決することができる。
【００３７】
図１１は、本発明の燃料電池膜モジュールの製造方法により製造された膜モジュールの湿潤空気及び乾燥空気の分配性を示す図である。図１１に示すように、本発明の方法を適用して湿潤空気及び乾燥空気の分配性が改善されることにより、中空糸膜の活用度を向上させることができる。
さらに、本発明の方法を適用して湿潤空気の分配性が改善され、従来の分配の不均一による周辺部の中空糸膜の断線問題を解決することができる。
また、本発明の方法を適用した加湿器の性能が向上され、従来の膜加湿器に比して中空糸膜数の使用量を低減することができる。
【００３８】
以上、本発明に関する好ましい実施形態を説明したが、本発明は実施形態に限定されず、本発明の属する技術範囲を逸脱しない範囲での全ての変更が含まれる。
【符号の説明】
【００３９】
１０      膜モジュール
１１      ハウジング
１２      マニフォールド
１３      ケース
１４      ポッティングキャップ
１５      中空糸膜
１６      高分子物質
１７      第１流入口
１８      第１流出口
１９      第２流入口
２０      第２流出口
２１      区画壁
【図１】
2013122902.tif 000003
【図２】
2013122902.tif 000004
【図３】
2013122902.tif 000005
【図４】
2013122902.tif 000006
【図５】
2013122902.tif 000007
【図６】
2013122902.tif 000008
【図７】
2013122902.tif 000009
【図８】
2013122902.tif 000010
【図９】
2013122902.tif 000011
【図１０】
2013122902.tif 000012
【図１１】
2013122902.tif 000013